(57)【要約】【課題】熱がユニットカバー内にこもることを極力防止できるヒューズユニットを提供する。【解決手段】バッテリ２のバッテリポスト３にバッテリ端子４を介して固定されるユニット本体１０と、ユニット本体１０に装着され、ユニット本体１０を被うユニットカバー２０とを備えたヒューズユニット１であって、ユニットカバー２０には、ユニット本体１０に当接する熱伝達リブ２３が設けられた。熱伝達リブ２３は、放熱シート３０を介してユニット本体１０に当接している。【選択図】図３
2014154309.tif 000002
【特許請求の範囲】
【請求項１】
バッテリのバッテリポストにバッテリ端子を介して固定されるユニット本体と、前記ユニット本体に装着され、前記ユニット本体を被うユニットカバーとを備えたヒューズユニットであって、
前記ユニットカバーには、前記ユニット本体に当接する熱伝達リブが設けられたことを特徴とするヒューズユニット。
【請求項２】
請求項１記載のヒューズユニットであって、
前記ユニットカバーは、アルミニウム粉末が混入されたものであることを特徴とするヒューズユニット。
【請求項３】
請求項１又は請求項２記載のヒューズユニットであって、
前記熱伝達リブは、前記ユニットカバーより熱伝導性に優れた放熱シートを介して前記ユニット本体に当接することを特徴とするヒューズユニット。
【請求項４】
請求項１〜請求項３のいずれかに記載のヒューズユニットであって、
前記ユニットカバーは、前記ユニット本体のコネクタハウジング部を覆っていることを特徴とするヒューズユニット。
【発明の詳細な説明】
【技術分野】
【０００１】
本発明は、バッテリに直付けされるヒューズユニットに関する。
【背景技術】
【０００２】
この種の従来のヒューズユニットとしては、特許文献１に開示されたものがある。このヒューズユニット１００は、図５に示すように、ユニット本体１００Ａとユニットカバー１３０とを備えている。ユニット本体１００Ａは、バッテリ１０１のバッテリポスト１０２にバッテリ端子１０３を介して固定されている。ユニット本体１００Ａは、導電性金属板であるバスバー１１０と、このバスバーの外面にインサート樹脂成形によって設けられた絶縁保護部１２０とを備えている。
【０００３】
バスバー１１０は、バッテリ端子１０３が接続される給電用接続部１１１と、各外部端子１３１が接続される外部用接続部１１２，１１３，（図示せず）と、給電用接続部１１１と各外部用接続部１１２，１１３，（図示せず）の間に選択的に介在された可溶部１１５，１１６とを有する。可溶部１１５，１１６は、過電流の通電によって溶断する。
【０００４】
絶縁保護部１２０は、給電用接続部１１１、各外部用接続部１１２，１１３，（図示せず）、各可溶部１１５，１１６を除くバスバー１１０の外面をほぼ被覆している。絶縁保護部１２０の外面には、通電時の放熱を効率良く行うための放熱リブ１２１が適所に突設されている。
【０００５】
ユニットカバー１３０は、ユニット本体１００Ａに装着され、ユニット本体１００Ａの上面及び上方側の側面を覆っている。ユニットカバー１３０は、ヒューズユニット１００の絶縁機能、被水防止機能等を担っている。
【先行技術文献】
【特許文献】
【０００６】
【特許文献１】特開２００２−２８９１７１号公報
【発明の概要】
【発明が解決しようとする課題】
【０００７】
しかしながら、前記従来例のヒューズユニット１００では、ユニット本体１００Ａの外周をユニットカバー１３０で覆っているため、ユニット本体１００Ａからの放熱が放熱リブ１２１によって促進されることも相俟ってユニットカバー１３０内にこもり（滞留し）易く、外部に放出されないという問題があった。ユニットカバー１３０内が温度上昇すると、例えば外部用接続部（図示せず）がコネクタ接続構造である場合に、バネ力を利用した接続箇所の信頼性が低下する等の悪影響が発生する。
【０００８】
そこで、本発明は、前記した課題を解決すべくなされたものであり、熱がユニットカバー内にこもることを極力防止できるヒューズユニットを提供することを目的とする。
【課題を解決するための手段】
【０００９】
本発明は、バッテリのバッテリポストにバッテリ端子を介して固定されるユニット本体と、前記ユニット本体に装着され、前記ユニット本体を被うユニットカバーとを備えたヒューズユニットであって、前記ユニットカバーには、前記ユニット本体に当接する熱伝達リブが設けられたことを特徴とするヒューズユニットである。
【００１０】
前記ユニットカバーは、アルミニウム粉末が混入されたものが好ましい。
【００１１】
前記熱伝達リブは、前記ユニットカバーより熱伝導性に優れた放熱シートを介して前記ユニット本体に当接することが好ましい。
【００１２】
前記ユニットカバーは、前記ユニット本体のコネクタハウジング部を覆っていることが好ましい。
【発明の効果】
【００１３】
本発明によれば、ユニット本体からの熱は、ユニット本体に当接しているユニットカバーの熱伝達リブを伝わり、ユニットカバーの外面より外部に放熱されるため、熱がユニットカバー内にこもる（滞留する）ことを極力防止できる。
【図面の簡単な説明】
【００１４】
【図１】本発明の一実施形態を示し、バッテリに固定されたユニット本体にユニットカバーを装着した状態を示す斜視図である。
【図２】本発明の一実施形態を示し、バッテリに固定されたユニット本体にユニットカバーを装着する前の状態を示す斜視図である。
【図３】本発明の一実施形態を示し、バッテリに固定されたユニット本体にユニットカバーを装着した状態を示す断面図である。
【図４】本発明の一実施形態を示し、（ａ）はユニットカバーを外側から見た斜視図、（ｂ）はユニットカバーを内面側を見た斜視図である。
【図５】従来例を示し、ヒューズユニットの分解斜視図である。
【発明を実施するための形態】
【００１５】
以下、本発明の実施形態を図面に基づいて説明する。
【００１６】
（一実施態形態）
図１〜図４は本発明の一実施形態を示す。図１〜図３に示すように、ヒューズユニット１は、バッテリ２のバッテリポスト３にバッテリ端子４を介して固定されている。ヒューズユニット１は、ユニット本体１０とユニットカバー２０とを備えている。ユニット本体１０は、Ｌ字状に折れ曲がった形態を有し、バッテリ２の上面２ａと側面２ｂに沿って配置されている。これにより、ヒューズユニット１は、バッテリ２の周辺スペースに設置されている。
【００１７】
ユニット本体１０は、導電性金属板であるバスバー１１と、このバスバー１１の外面にインサート樹脂成形によって設けられた絶縁保護部１５とを備えている。バスバー１１は、バッテリ端子４が接続される給電用接続部１２と、各外部端子が接続される複数の外部用接続部１３，１４と、給電用接続部１２と各外部用接続部１３，１４間に選択的に介在される複数の可溶部（図示せず）とを有する。各可溶部（図示せず）は、それぞれの過電流の通電によって溶断する。
【００１８】
絶縁保護部１５は、給電用接続部１２、各外部用接続部１３，１４、各可溶部（図示せず）を除くバスバー１１の外面をほぼ被覆している。絶縁保護部１５の外面には、従来例のような放熱用リブが設けられていない。放熱用リブが設けられていた絶縁保護部１５の外面は、フラットな面に形成されている。絶縁保護部１５は、外部用接続部１４を囲むコネクタハウジング部１５ａを一体に形成している。コネクタハウジング部１５ａには、外部の接続コネクタ４０がコネクタ接続される。外部の接続コネクタ４０内の端子は、外部用接続部１４にバネ力によって接触される。
【００１９】
ユニットカバー２０は、図１〜図４に示すように、絶縁性で、且つ、アルミニウム粉末が混入された合成樹脂材より形成されている。ユニットカバー２０は、上方からユニット本体１０にスライド嵌合によって装着されている。ユニットカバー２０は、上面カバー部２１と、この上面カバー部２１より垂下された側面カバー部２２と、上面カバー部２１及び側面カバー部２２の内面よりそれぞれ突出された熱伝達リブ２３とを備えている。
【００２０】
上面カバー部２１は、ユニット本体１０のみならずバッテリ端子４とバッテリポスト３を上方より被っている。上面カバー部２１は、固定面部２１ａと、固定面部２１ａにヒンジ部２１ｂを介して連結された蓋部２１ｃとを有する。蓋部２１ｃは、固定面部２１ａよりバッテリ２側に突出している。蓋部２１ｃを開位置にすることによって、バッテリポスト３とバッテリ端子４と給電用接続部１２等を露出させることができる。側面カバー部２２は、ユニット本体１０を側方より被っている。側面カバー部２２は、コネクタハウジング部１５ａの外周をほぼ完全に被っている。
【００２１】
各熱伝達リブ２３は、各放熱シート３０を介してユニット本体１０に当接している（図３参照）。放熱シート３０は、ユニット本体１０のフラットな外面に面接触している。放熱シート３０は、ユニットカバー２０より熱伝導性に優れた材料、例えばシリコーンゴムより形成されている。
【００２２】
上記構成において、ユニットカバー２０には、ユニット本体１０に当接する熱伝達リブ２３が設けられている。従って、ユニット本体１０からの熱は、ユニットカバー２０の各熱伝達リブ２３を伝わり、ユニットカバー２０を伝達してその外面より外部に放熱されるため、ユニット本体１０の熱がユニットカバー２０内にこもる（滞留する）ことを極力防止できる。これにより、前記実施形態にように、外部用接続部１４がコネクタ接続構造である場合に、バネ力を利用した接続箇所の信頼性が低下する等の悪影響を防止できる。つまり、高熱になるとバネ力が低下して接続信頼性の低下を招来するが、このような事態を防止できる。ユニットカバー２０は、ヒューズユニット１の絶縁機能、被水防止機能のみならず放熱機能も担っている。
【００２３】
ユニットカバー２０は、アルミニウム粉末が混入されたものである。従って、ユニットカバー２０自体の熱伝導性が良いため、熱伝達リブ２３からの熱を効率良く外部に放熱し、放熱性が向上する。
【００２４】
熱伝達リブ２３は、ユニットカバー２０より熱伝導性に優れた放熱シート３０を介してユニット本体１０に当接している。従って、熱伝達リブ２３を経路とする放熱が促進され、この点でも放熱性が向上する。放熱シート３０は、ユニット本体１０のフラットな外面に面接触しているため、複数のリブに跨って当接する場合等に較べて、ユニット本体１０からの熱が効率良く放熱シート３０に伝達され、放熱性が向上する。
【００２５】
ユニットカバー２０は、ユニット本体１０のコネクタハウジング部１５ａを覆っており、コネクタハウジング部１５ａ内にはユニット本体１０の熱がこもり易い構造であるが、上記したようにユニット本体１０からの熱を熱伝達リブ２３を伝って放熱するため、ユニットカバー２０はコネクタハウジング部１５ａの絶縁機能の向上を図りつつ、コネクタハウジング部１５ａ内に熱がこもる（滞留する）のを有効に防止できる。
【００２６】
ユニット本体１０には、従来例のような放熱リブを設けていないので、ユニット本体１０の外面からの放熱が従来に較べて抑制されるため、この点でもユニット本体１０の熱がユニットカバー２０内にこもる（滞留する）ことを抑制できる。
【００２７】
（変形例）
前記実施形態では、熱伝達リブ２３は、放熱シート３０を介してユニット本体１０に当接しているが、ユニットカバー２０の熱伝達リブ２３がユニット本体１０に直接当接するようにしても良い。
【符号の説明】
【００２８】
１  ヒューズユニット
２  バッテリ
３  バッテリポスト
４  バッテリ端子
１０  ユニット本体
１５ａ  コネクタハウジング部
２０  ユニットカバー
２３  熱伝達リブ
３０  放熱シート
【図１】
2014154309.tif 000003
【図２】
2014154309.tif 000004
【図３】
2014154309.tif 000005
【図４】
2014154309.tif 000006
【図５】
2014154309.tif 000007